(57)【要約】【課題】電線接続の作業性が向上し、浸水による電気接続信頼性の低下が抑制される電気錠の構造を提供する。【解決手段】電気錠の構造において、電気錠１５及び電装部品が取り付けられる扉１１と、扉１１の屋内面３５に所定の厚みを有して突出して取り付けられ扉側取付面４５が開放されて電気錠１５の機械的な操作部材（サムターン４１）を支持する台座２３と、台座２３の内方に設けられ屋内側の開口部５３によって開放される空間部２５と、空間部２５に対応する屋内面３５に穿設され扉内部１９を配索された電気錠１５及び電装部品からの電線が空間部２５を通って屋内側に引き出し可能となる電線取り出し開口穴２７と、電線取り出し開口穴２７から引き出された電線同士を電気的に接続する電線接続部（コネクタ７１，７３）と、電線及び電線接続部を収容した空間部２５の開口部５３を閉鎖するカバー部材２９と、を設けた。【選択図】  図１
2015067997.tif 000002
【特許請求の範囲】
【請求項１】
電気錠及び電装部品が取り付けられる扉と、
前記扉の屋内面に所定の厚みを有して突出して取り付けられ扉側取付面が開放されて前記電気錠の機械的な操作部材を支持する台座と、
前記台座の内方に設けられ屋内側の開口部によって開放される空間部と、
前記空間部に対応する前記屋内面に穿設され扉内部を配索された前記電気錠及び電装部品からの電線が前記空間部を通って屋内側に引き出し可能となる電線取り出し開口穴と、
前記電線取り出し開口穴から引き出された電線同士を電気的に接続する電線接続部と、
前記電線及び前記電線接続部を収容した前記空間部の前記開口部を閉鎖するカバー部材と、
を具備することを特徴とする電気錠の構造。
【請求項２】
請求項１記載の電気錠の構造であって、
前記電線取り出し開口穴が、前記空間部の上部に位置し、
前記扉内部に配索された前記電線が上り傾斜にて前記電線取り出し開口穴から引き出されることを特徴とする電気錠の構造。
【請求項３】
請求項１または２記載の電気錠の構造であって、
前記電線接続部が、接続されるそれぞれの電線の末端に取り付けられたコネクタハウジングを相互に結合するコネクタであり、
前記電線取り出し開口穴が、前記コネクタハウジングを通過させる大きさに形成されていることを特徴とする電気錠の構造。
【発明の詳細な説明】
【技術分野】
【０００１】
本発明は、電気錠の構造に関する。
【背景技術】
【０００２】
近年、扉には従来の機械的な施解錠機構に加えて、電気錠や、リーダー、電源ユニット等の電装部品が取り付けられるようになってきている（例えば特許文献１参照）。これら電気錠や電装部品等から導出される電線は、一般に施工時にその現地にて結線される。特許文献１の扉用電気錠では、錠ケースに電線や結線具を収納する結線収納部が設けられる。この結線収納部は、扉の木口側から開閉する補足板を脱着することにより、開放及び閉塞が可能となっている。すなわち、扉外部の電装部品から延びる電線と、錠ケースから延びる電線とが、この結線収納部にて結線される。結線した電線は、結線収納部に押し込んで収容されることになる。
【先行技術文献】
【特許文献】
【０００３】
【特許文献１】特開平１１−１５９２０９号公報
【発明の概要】
【発明が解決しようとする課題】
【０００４】
しかしながら、上記した従来の扉用電気錠は、扉の木口側から補足板を脱着して結線収納部を開放及び閉塞するため、扉を開放した状態でないと、作業が行なえない。補足板をビス等の固着具によって固定するため、結線収納部の開閉作業が煩雑となる。また、扉の屋外側からの浸水や、扉を挟んで内外で生じる温度差や扉内外の温度差による結露等が生じた場合に、水滴が電線を伝って扉の内部に浸入し電線接続部等に接触することによるショートや、導体腐食による接触不良が懸念される。
【０００５】
本発明は上記状況に鑑みてなされたもので、その目的は、電線接続の作業性が向上し、浸水による電気接続信頼性の低下が抑制される電気錠の構造を提供することにある。
【課題を解決するための手段】
【０００６】
次に、上記の課題を解決するための手段を、実施の形態に対応する図面を参照して説明する。
本発明の請求項１記載の電気錠１５の構造は、電気錠１５及び電装部品が取り付けられる扉１１と、
前記扉１１の屋内面３５に所定の厚みを有して突出して取り付けられ扉側取付面４５が開放されて前記電気錠１５の機械的な操作部材を支持する台座２３と、
前記台座２３の内方に設けられ屋内側の開口部５３によって開放される空間部２５と、
前記空間部２５に対応する前記屋内面３５に穿設され扉内部１９を配索された前記電気錠１５及び電装部品からの電線５５，５７，５９，６１が前記空間部２５を通って屋内側に引き出し可能となる電線取り出し開口穴２７と、
前記電線取り出し開口穴２７から引き出された電線５５，５７，５９，６１同士を電気的に接続する電線接続部７１，７３と、
前記電線及び前記電線接続部を収容した前記空間部２５の前記開口部５３を閉鎖するカバー部材２９と、
を具備することを特徴とする。
【０００７】
この電気錠１５の構造では、扉１１の屋内面３５に、電線取り出し開口穴２７が穿設される。電線取り出し開口穴２７は、屋内面３５に取り付けられる台座２３によって覆われる。台座２３には、空間部２５が確保されている。この空間部２５は、台座２３の扉側取付面４５が開放されていることで、電線取り出し開口穴２７と通じる。より具体的には、空間部２５の１つの内面となる屋内面３５に、電線取り出し開口穴２７が開口される。
扉１１には、電気錠１５や電装部品、例えば扉１１の屋外面２１に取り付けられるリーダー１７が取り付けられている。これら電気錠１５や電装部品（リーダー１７）から導出された電線は、扉内部１９を配索され、電線取り出し開口穴２７を通って空間部２５に集められる。空間部２５に集められた複数の電線５５，５７，５９，６１は、屋内側に引き出されて所定のもの同士が結線される。つまり、扉１１を閉めた状態で、屋内側の１個所で、全ての結線作業を行うことが可能となる。また、電気的な接続の確認を扉面に表出する１個所で行え、メンテナンス性も向上する。また、空間部２５の開口部５３が屋内側にて開口するので、防犯性も向上する。さらに、電線接続部７１，７３が、屋内面３５よりも屋内側の台座２３の内方の空間部２５に配置されるので、屋外や扉内部１９からの水が電線接続部に接触しにくくなる。
【０００８】
本発明の請求項２記載の電気錠１５の構造は、請求項１記載の電気錠１５の構造であって、
前記電線取り出し開口穴２７が、前記空間部２５の上部に位置し、
前記扉内部１９に配索された前記電線が上り傾斜にて前記電線取り出し開口穴２７から引き出されることを特徴とする。
【０００９】
この電気錠１５の構造では、電気錠１５や電装部品から電線を伝う水、或いは扉内外の温度差によって電線自体に結露した水が、電線の上り傾斜によって、電線取り出し開口穴２７への到達が阻止される。これにより、電線を伝う水が、電線取り出し開口穴２７から空間部２５に浸入しにくくなり、電線接続部の導体腐食等による電気接触不良が抑制される。
【００１０】
本発明の請求項３記載の電気錠１５の構造は、請求項１または２記載の電気錠１５の構造であって、
前記電線接続部が、接続されるそれぞれの電線５５，５７，５９，６１の末端に取り付けられたコネクタハウジング６３，６５，６７，６９を相互に結合するコネクタ７１，７３であり、
前記電線取り出し開口穴２７が、前記コネクタハウジング６３，６５，６７，６９を通過させる大きさに形成されていることを特徴とする。
【００１１】
この電気錠１５の構造では、電線取り出し開口穴２７がコネクタハウジング６３，６５，６７，６９よりも大きく形成されるので、電気錠１５やリーダー１７等の電装部品から導出される電線５５，５７，５９，６１の末端に、予めコネクタ７１，７３のコネクタハウジング６３，６５，６７，６９を取り付けておくことが可能となる。電気錠１５や電装部品は、所定の位置に固定された後、電線５５，５７，５９，６１が扉内部１９を配索されて、コネクタハウジング６３，６５，６７，６９が電線取り出し開口穴２７から空間部２５へと引き出される。引き出されたコネクタハウジング６３，６５，６７，６９は、屋内側において、所定のもの同士が結合される。結合されたコネクタ７１，７３と電線５５，５７，５９，６１は、空間部２５に押し込まれ、開口部５３がカバー部材２９によって塞がれることで、接続及び収納が容易に完了する。
【発明の効果】
【００１２】
本発明に係る請求項１記載の電気錠の構造によれば、電気錠や電装部品の電線接続の作業性を向上させることができ、また、浸水等による電気接続信頼性の低下を抑制できる。
【００１３】
本発明に係る請求項２記載の電気錠の構造によれば、扉内部を配索される電線を伝って水が空間部に浸入するのを抑制できる。
【００１４】
本発明に係る請求項３記載の電気錠の構造によれば、電装部品や電気錠の電線に予めコネクタハウジングを接続し、電線取り出し開口穴を通したコネクタハウジング同士を結合することで容易に電線を接続できる。
【図面の簡単な説明】
【００１５】
【図１】本発明の実施形態に係る電気錠の構造を備える扉の要部拡大側断面図である。
【図２】図１の電気錠の構造を備えたプッシュプル錠の全体側断面図である。
【図３】本実施形態に係る電気錠の構造の電線引き出し状況を表す動作説明図である。
【図４】図３のコネクタハウジングが結合された状態を表す動作説明図である。
【図５】図４のコネクタが収納されてカバー部材が取り付けられる状況を表す動作説明図である。
【発明を実施するための形態】
【００１６】
以下、本発明に係る実施形態を図面を参照して説明する。
図１は本発明の実施形態に係る電気錠の構造を備える扉の要部拡大側断面図、図２は図１の電気錠の構造を備えたプッシュプル錠の全体側断面図である。
本実施形態に係る電気錠の構造は、例えば扉１１に取り付けられるプッシュプル錠１３に適用される。本実施形態において、プッシュプル錠１３には、電気錠１５と、電装部品であるリーダー１７と、が備えられる。つまり、扉１１には、プッシュプル錠１３と共に電気錠１５及びリーダー１７が取り付けられる。電気錠１５は、扉内部１９に収容される。リーダー１７は、扉１１の屋外面２１に取り付けられる。
【００１７】
電気錠の構造は、扉１１と、台座２３と、空間部２５と、電線取り出し開口穴２７（図３参照）と、電線接続部７１，７３と、カバー部材２９と、を構成として備える。扉１１は、吊元が建物開口に固定された開口枠に回転自在に支持される。プッシュプル錠１３は、この扉１１の開閉端（木口側）に取り付けられる。プッシュプル錠１３は、屋外ユニット３１と、屋内ユニット３３と、からなる。屋外ユニット３１は扉１１の屋外面２１に取り付けられ、屋内ユニット３３は扉１１の屋内面３５に取り付けられる。本実施形態に係る電気錠の構造は、このうち屋内ユニット３３が構成の対象となる。
【００１８】
屋内ユニット３３は、台座２３を有する。台座２３は、扉１１の屋内面３５に所定の厚みを有して突出して取り付けられる。本実施形態において、台座２３は、上下に離間して一対のものが設けられる。一対の台座２３は、扉１１の把手として機能するグリップケース３７によって連結されている。本実施形態において、台座２３の空間部２５とグリップケース３７のケース空間部３９（図１参照）とは、一体となっている。本実施形態に係る電気錠の構造では、下側の台座２３が用いられる。グリップケース３７には、上下にサムターン４１が設けられる。下側のサムターン４１の直上のグリップケース３７には、電池ボックス４３が収容される。電池ボックス４３には、電気錠１５の電源となる乾電池等のバッテリーが収容される。
【００１９】
台座２３は、扉側取付面４５が開放されている。屋内側の台座２３には、電気錠１５の機械的な操作部材であるサムターン４１やハンドル部４７が支持される。屋外側の台座２３には、電気錠１５の機械的な操作部材であるシリンダー錠４９が支持される。電気錠１５は、シリンダー錠４９、サムターン４１、或いはハンドル部４７が操作されることによって、機構部５１が作動され、デッドボルトやラッチボルトが扉木口より進退、すなわち、施解錠される。また、電気錠１５には、不図示のモータが収容される。電気錠１５は、例えばリーダー１７からの施解錠信号、或いは外部からの施解錠制御信号によっても作動され、デッドボルトの進退が可能となっている。
【００２０】
台座２３には、空間部２５が設けられる。空間部２５は、図１に示すように、電気錠１５及びリーダー１７などの電装部品よりも下方の台座２３の内方に配置される。台座２３は、屋内側に形成された開口部５３によって、屋外側に開放される。また、この空間部２５は、サムターン４１の下方に配置される。なお、空間部２５は、サムターン４１の下方の位置に限定されるものではなく、扉面（屋内面３５）に対して突出して配置されるサムターン４１等操作部材の周囲を取り囲む構成として形成される台座２３の膨出形状部分となるサムターン４１などの操作部材の周囲に構成される台座２３の空間部に設けられることとすればよく、開閉自在な構造であればよい。
【００２１】
扉１１の屋内面３５には、空間部２５に対応する位置に、電線取り出し開口穴２７が穿設される。電線取り出し開口穴２７は、扉内部１９を配索された電気錠１５及びリーダー１７からの電線が空間部２５を通って屋内側に引き出されることを可能とする。
【００２２】
本実施形態において、電気錠１５からは電気錠電源電線５５と電気錠制御電線５７、リーダー１７からはリーダー電線５９、電池ボックス４３からは電源電線６１が導出されている。これらそれぞれの電線５５，５７，５９，６１の末端には、コネクタハウジングである錠電源線コネクタハウジング６３、制御線コネクタハウジング６５、リーダー線コネクタハウジング６７、電源ボックス線コネクタハウジング６９が取り付けられている。
【００２３】
錠電源線コネクタハウジング６３は電源ボックス線コネクタハウジング６９と結合されて、電線接続部である電源用コネクタ７１となる。制御線コネクタハウジング６５は、リーダー線コネクタハウジング６７と結合されて電線接続部である制御用コネクタ７３となる。これら電源用コネクタ７１、制御用コネクタ７３は、電線取り出し開口穴２７から引き出された電線同士を電気的に接続する。
【００２４】
台座２３の空間部２５と一体となったケース空間部３９は、グリップケース３７に形成される開口部５３によって、空間部２５を屋外側に開放する。この開口部５３には、カバー部材２９が着脱自在に取り付けられる。つまり、カバー部材２９は、電線５５，５７，５９，６１及び電線接続部７１，７３を収容した空間部２５の開口部５３を閉鎖する。
【００２５】
また、本実施形態において、電線取り出し開口穴２７は、空間部２５の上部に位置している。これにより、扉内部１９に配索された電線は、図１に示すように、上り傾斜にて電線取り出し開口穴２７から引き出される。
【００２６】
本実施形態において、電線接続部は、電源用コネクタ７１と、制御用コネクタ７３となる。電線取り出し開口穴２７は、これら電源用コネクタ７１，制御用コネクタ７３の錠電源線コネクタハウジング６３，電源ボックス線コネクタハウジング６９，リーダー線コネクタハウジング６７，制御線コネクタハウジング６５が通過可能となる大きさに形成される。
【００２７】
なお、電線接続部７１，７３は、コネクタ結合に限らない。例えば、コネクタハウジングを使用せず、電線の被覆を切除して露出させた芯線同士を直接圧着等によって接続するものであってもよい。
【００２８】
次に、上記構成を有する電気錠の構造の施工手順を説明する。
図３は本実施形態に係る電気錠の構造の電線引き出し状況を表す動作説明図、図４は図３のコネクタハウジングが結合された状態を表す動作説明図、図５は図４のコネクタが収納されてカバー部材が取り付けられる状況を表す動作説明図である。
電気錠の構造では、先ず、扉１１へ電気錠１５を組み付ける。扉１１の屋外面２１には、リーダー１７を組み付ける。電気錠制御電線５７，電気錠電源電線５５，リーダー電線５９を、扉内部１９に配索して電線取り出し開口穴２７から屋内側へ引き出す。
扉１１の屋内面３５に台座２３，グリップケース３７を組み付ける。この際、図３に示すように、カバー部材２９を外した状態で、各電線５５，５７，５９，６１を、開口部５３から屋内面３５側に引き出す。
【００２９】
図４に示すように、引き出された各電線５５，５７，５９，６１に取り付けられている錠電源線コネクタハウジング６３と電源ボックス線コネクタハウジング６９、制御線コネクタハウジング６５とリーダー線コネクタハウジング６７を結合する。
図５に示すように、空間部２５に、各電線５５，５７，５９，６１及び結合された電源用コネクタ７１、制御用コネクタ７３を押し込み収納する。最後に、空間部２５の開口部５３を、カバー部材２９にて閉鎖して結線の施工が完了する。なお、扉１１の屋外面２１，屋内面３５の各ユニット３１，３３や電気錠１５の扉１１へのビス止めなどの締結固定は、結線作業以前に行なうことができ、すなわち施解錠装置としての構造的な固定作業を終えてから、電気的な接続作業を集中して行なうことが可能となる。
【００３０】
次に、上記構成を有する電気錠の構造の作用を説明する。
電気錠の構造では、扉１１の屋内面３５に、電線取り出し開口穴２７が穿設される。電線取り出し開口穴２７は、屋内面３５に取り付けられる台座２３によって覆われる。台座２３には、空間部２５が確保されている。この空間部２５は、台座２３の扉側取付面４５が開放されていることで、電線取り出し開口穴２７と通じる。より具体的には、空間部２５の１つの内面となる屋内面３５に、電線取り出し開口穴２７が開口される。
【００３１】
扉１１には、電気錠１５や電装部品、例えば扉１１の屋外面２１に取り付けられるリーダー１７が取り付けられている。これら電気錠１５や電装部品から導出された電線は、扉内部１９を配索され、電線取り出し開口穴２７を通って空間部２５に集められる。空間部２５に集められた複数の電線５５，５７，５９，６１は、屋内側に引き出されて所定のもの同士が結線される。つまり、扉１１を閉めた状態で、屋内側の１個所で、全ての結線作業を行うことが可能となる。また、電気的な接続の確認を１個所で行え、各電装部品の動作試験や通電試験を屋内側で行なえ、メンテナンス性も向上する。また、空間部２５の開口部５３が屋内側にて開口するので、防犯性も向上する。さらに、電線接続部７１，７３が、屋内面３５よりも屋内側の台座２３の内方の空間部２５に配置されるので、屋外や扉内部１９からの水が電線接続部７１，７３に接触しにくくなる。
【００３２】
また、電気錠の構造では、電気錠１５や電装部品から電線を伝う水滴、或いは扉内外の温度差によって電線自体に結露した水が、電線の上り傾斜によって、電線取り出し開口穴２７への到達が阻止される。これにより、屋内側に向かって電線を伝う水が、電線取り出し開口穴２７から空間部２５に浸入しにくくなり、電線接続部の導体腐食等による電気接触不良が抑制される。
【００３３】
さらに、電気錠の構造では、電線取り出し開口穴２７がコネクタハウジング６３，６５，６７，６９よりも大きく形成されるので、電気錠１５やリーダー１７等の電装部品から導出される電線５５，５７，５９，６１の末端に、予めコネクタのコネクタハウジング６３，６５，６７，６９を取り付けておくことが可能となる。電気錠１５や電装部品は、所定の位置に固定された後、電線が扉内部１９を配索されて、コネクタハウジング６３，６５，６７，６９が電線取り出し開口穴２７から空間部２５へと引き出される。引き出されたコネクタハウジング６３，６５，６７，６９は、屋内側において、所定のもの同士が結合される。結合されたコネクタ７１，７３と電線５５，５７，５９，６１は、空間部２５に押し込まれ、開口部５３がカバー部材２９によって塞がれることで、接続及び収納が容易に完了する。その結果、電装部品や電気錠１５の電線に予めコネクタハウジング６３，６５，６７，６９を接続し、電線取り出し開口穴２７を通したコネクタハウジング６３，６５，６７，６９同士を結合することで容易に電線を接続できる。
【００３４】
なお、上記実施形態では、電装部品がリーダー１７である場合を例に説明したが、電装部品は、この他、施解錠状態を標示する標示ランプ、施錠状態や解錠状態等を検知する各種センサ、錠機構等を駆動する駆動モータ、扉の開扉状態や閉扉状態を検知するスイッチ、扉に設ける電飾広告等の標示装置、電源としての商用電源などであってもよい。
【００３５】
また、上記実施形態では、上下に離間した一対の台座２３の下側の台座２３に空間部２５が設けられる例として述べたが、上側の台座２３に空間部を設け、上述同様に電線５５，５７，５９，６１及び電線接続部７１，７３が収容されることとしても良く、またそれぞれに空間部を設け、それぞれに電線等を収容する構成としても良い。さらに、上記実施形態では、上下に離間した台座２３にグリップケース３７を一体として連結するように構成した例について述べたが、上下それぞれの台座２３を離間状態で構成し、両台座には上下の端部がそれぞれ揺動基部となるハンドルを連結し、所謂プッシュプルハンドルとなる構成として、これら上下の台座の少なくともいずれか一方に空間部を設けて、上述同様に電線等を収容することとしても良く、その他扉のハンドルとしての形状等については上述の構造に限定するものではなく、扉面に設けられる台座に空間部を設け、これを閉鎖するカバー部材を具備して、電線や電線接続部が収容される構成とされれば良い。
【００３６】
従って、本実施形態に係る電気錠の構造によれば、電線接続の作業性を向上させることができ、浸水による電気接続信頼性の低下を抑制できる。
【符号の説明】
【００３７】
１１…扉
１５…電気錠
１７…電装部品（リーダー）
１９…扉内部
２３…台座
２５…空間部
２７…電線取り出し開口穴
２９…カバー部材
３５…屋内面
４１…操作部材（サムターン）
４５…扉側取付面
５３…開口部
５５…電線（電気錠電源電線）                                                    ５７…電線（電気錠制御電線）
５９…電線（リーダー電線）
６１…電線（電源電線）
６３…コネクタハウジング（錠電源線コネクタハウジング）
６５…コネクタハウジング（制御線コネクタハウジング）
６７…コネクタハウジング（リーダー線コネクタハウジング）
６９…コネクタハウジング（電源ボックス線コネクタハウジング）
７１…電線接続部（コネクタ、電源用コネクタ）
７３…電線接続部（コネクタ、制御用コネクタ）
【図１】
2015067997.tif 000003
【図２】
2015067997.tif 000004
【図３】
2015067997.tif 000005
【図４】
2015067997.tif 000006
【図５】
2015067997.tif 000007